(57)【要約】【課題】キャリア検出要件を複雑にすることなくノイズによる誤キャリア検出や、キャリア検出不能が発生する確率を低下し、通信成功率に影響を与えることのないディジタル通信装置を得る。【解決手段】配電線７を介してマルチキャリアに同一データが重畳された信号を入力し、ＦＦＴ１４により周波数毎の成分を抽出した信号を、キャリア検出器２０により信号レベル及び位相が連続する期間により定めたキャリア検出要件に照らしてキャリアを検出する装置であって、キャリア検出器２０で検出されたキャリアの同期をとる同期回路１０ａと、信号レベルと同期の成否情報を履歴として保持する履歴保持回路１０ｄとを備え、履歴保持回路１０ｄに保持された履歴情報に基づいて、ＦＦＴ１４により抽出された今回の信号に対するキャリア検出要件を変更する。【選択図】　　　　図５
2004032397.tif 000002
【特許請求の範囲】
【請求項１】
複数の周波数が重畳されたマルチキャリアをディジタル信号に変換するＡ／Ｄコンバータ、
前記Ａ／Ｄコンバータの出力信号から、前記マルチキャリアの周波数毎の成分を抽出する周波数抽出手段、
前記周波数抽出手段により抽出された信号をキャリア検出要件に照らしキャリアを検出するキャリア検出手段、
前記キャリア検出手段により検出されたキャリアの同期をとる同期手段、
前記同期手段による同期の成否を検出する同期成否検出手段、
および前記同期成否検出手段による同期の成否情報と、この成否情報に対応する前記周波数抽出手段により抽出された信号情報を履歴として保持する履歴保持手段を備え、
前記キャリア検出手段は、前記履歴保持手段に保持された履歴情報に基づいて、前記周波数抽出手段により抽出された今回の信号に対するキャリア検出要件を変更する
ように構成されたことを特徴とするディジタル通信装置。
【請求項２】
前記キャリア検出要件は、前記周波数抽出手段により抽出された信号の入力レベルが所定のレベルを超え、かつ位相が所定の期間連続する周波数が所定の数以上の周波数成分において成立することを特徴とする請求項１記載のディジタル通信装置。
【請求項３】
前記同期手段は、同期処理中および同期処理完了後一定期間内は、自機器からの信号送信を抑制する送信抑制手段を備えたことを特徴とする請求項１記載のディジタル通信装置。
【発明の詳細な説明】
【０００１】
【発明の属する技術分野】
この発明は、複数の周波数の搬送信号を送受信するディジタル通信装置に関し、特に、配電線を伝送路とするものに関する。
【０００２】
【従来の技術】
従来のディジタル通信装置として、マルチキャリア変復調方式通信装置（以下マルチキャリア通信装置という）があり、例えば特開２００１−９４５２７号公報に示されている。
図８は、上記公報に示された従来のディジタル受信機の構成を示す構成概要図である。
【０００３】
図８において、１はフレーミング回路で送信データに対して図２に示すようなフレーミング処理を行ない、これを一次変調器２へ出力する。２は予め定めた方式（例えばＤＢＰＳＫ：Ｄｉｆｆｅｒｅｎｔｉａｌ　Ｂｉｎａｒｙ　Ｐｈａｓｅ　Ｓｈｉｆｔ　Ｋｅｙｉｎｇ　など）で変調を行なう一次変調器、３は制御回路１０の指令に基づいて特定（複数も可）のトーンの信号を抽出するトーン選択器、４は逆高速フーリエ変換回路（ＩＦＦＴ：Ｉｎｖｅｒｓｅ　Ｆａｓｔ　Ｆｏｕｒｉｅｒ　Ｔｒａｎｓｆｏｒｍ）で、抽出されたトーン信号の周波数軸データを時間軸データに変換する。
【０００４】
５はパラレル／シリアル変換回路（Ｐ／Ｓ）、６はディジタル／アナログ変換回路（Ｄ／Ａ）、７は伝送路（配電線）、８は配電線に接続するための結合回路である。９はノイズ測定器、１０は制御回路、１７はキャリア検出器である。フレーミング回路１、一次変調器２、トーン選択器３、ＩＦＦＴ４、Ｐ／Ｓ５、Ｄ／Ａ６、結合回路８で送信系１１０を構成している。
【０００５】
１６はアナログ／ディジタル変換回路（Ａ／Ｄ変換器）、１５はシリアル／パラレル変換回路（Ｓ／Ｐ）、１４は高速フーリエ変換回路（ＦＦＴ：Ｆａｓｔ　Ｆｏｕｒｉｅｒ　Ｔｒａｎｓｆｏｒｍ）、１３はトーン選択器、１２は一次復調器、１１はデフレーミング回路で、図３に示したフレーミングの信号から受信データを出力する。１７はキャリア検出器である。
【０００６】
また、結合回路８、Ａ／Ｄ１６、Ｓ／Ｐ１５、ＦＦＴ１４、トーン選択器１３、一次復調器１２、デフレーミング回路１１で受信系１２０を構成している。これらは送信系１１０を構成する対応部分と逆の動作を行なう。すなわち、Ａ／Ｄ１６が、アナログ／ディジタル変換を行ない、さらに、Ｓ／Ｐ１５が、ディジタルデータに変換されたシリアルデータを、パラレルデータに変換し、ＦＦＴ１４へ出力する。
【０００７】
ＦＦＴ１４では、上記パラレルデータに対してフーリエ変換を行なうことにより、時間軸のマルチキャリアデータを周波数軸上のデータに変換し、その周波数軸データをトーン選択器１３およびノイズ測定器９へ出力する。その後、トーン選択器１３では、制御回路１０によって指定されたトーンを選択し、それを一次復調器１２に出力し、一次復調器１２では、それら選択されたトーンにおける同一データを、制御回路１０からの一次変調／復調方式選択情報により指定された一次変調方式で復調する。
【０００８】
次に受信動作を説明する。
ノイズ測定器９により信号が所定のレベル以上と判断すると、キャリア検出器１７の出力を入力した制御回路１０がフレームのプリアンブルの情報に基づいて送信フレームかどうかの確認処理を行ない、その後送信フレームと判断された場合にのみ同期用のプリアンブルに基づいて同期をとり、もとのデータを復調する。送信フレームかどうかの確認処理の判断基準の具体例として、Ｍ個（自然数）のトーンについて連続したｎ個（自然数）の同一データが検出されたとき、または確認処理を行なうプリアンブルの信号の振幅に関するしきい値を設け、そのしきい値をａ回連続して超えたときが開示されている。
【０００９】
【発明が解決しようとする課題】
従来のマルチキャリア通信装置は、ノイズ測定のレベルや確認処理の判断基準として所定の設定値を用いるので、フィールドにおける状態が変化すると、キャリア検出ができないことが多くなり、キャリアの検出確度が低い。特に配電線搬送方式のようなノイズ条件の厳しいフィールドにおいては、キャリア検出確度が低いものとなる。
【００１０】
例えば、キャリアの検出要件を一つの周波数ｆ１とした場合、フィールドによっては、ノイズがある周波数に対するキャリア検出要件を満足するような図９のような周波数成分ｆ１、ｆ２、ｆ３をとることがあり、他方、キャリア検出要件を複数周波数とした場合、ノイズにより信号成分が隠されてしまっている図１０のような周波数成分をとることがあり、いずれの場合にもキャリアの誤検出の要因となる。
【００１１】
そこで、ノイズ測定のレベルや確認処理の判断基準としての所定値を複数準備しておき、それらを決められた順で変化させ、最適なキャリア検出条件とすることも考えられるが、この場合には最適なキャリア検出条件を得るために長い時間がかかるという問題がある。
【００１２】
この発明は、かかる問題点を解決するためになされたものであり、複数周波数を使用した通信であることを利用し、キャリア検出要件を複雑にすることなくノイズによる誤キャリア検出や、キャリア検出不能が発生する確率を低下し、通信成功率に影響を与えることのないディジタル通信装置を得ることを目的としている。
【００１３】
【課題を解決するための手段】
この発明に係るディジタル通信装置は、複数の周波数が重畳されたマルチキャリアをディジタル信号に変換するＡ／Ｄコンバータ、前記Ａ／Ｄコンバータの出力信号から、前記マルチキャリアの周波数毎の成分を抽出する周波数抽出手段、前記周波数抽出手段により抽出された信号をキャリア検出要件に照らしキャリアを検出するキャリア検出手段、前記キャリア検出手段により検出されたキャリアの同期をとる同期手段、前記同期手段による同期の成否を検出する同期成否検出手段、および前記同期成否検出手段による同期の成否情報と、この成否情報に対応する前記周波数抽出手段により抽出された信号情報を履歴として保持する履歴保持手段を備え、前記キャリア検出手段は、前記履歴保持手段に保持された履歴情報に基づいて、前記周波数抽出手段により抽出された今回の信号に対するキャリア検出要件を変更するように構成されたものである。
【００１４】
また、前記キャリア検出要件は、前記周波数抽出手段により抽出された信号の入力レベルが所定のレベルを超え、かつ位相が所定の期間連続する周波数が所定の数以上の周波数成分において成立することを特徴とする。
また、前記同期手段は、同期処理中および同期処理完了後一定期間内は、自機器からの信号送信を抑制する送信抑制手段を備えた。
【００１５】
【発明の実施の形態】
実施の形態１．
図１はこの発明の実施の形態１に係るディジタル通信装置の構成図で、例として複数周波数を搬送波として用いて通信を行なう配電線搬送用の通信装置を示している。図２はフレーミング処理で生成されるフレームの構成と、そのフレームにおけるＰＯＣフィールド（Ｐｏｗｅｒ　Ｌｉｎｅ　Ｃｏｍｍｕｎｉｃａｔｉｏｎ　Ｏｖｅｒｈｅａｄ　Ｃｏｎｔｒｏｌ　Ｆｉｅｌｄ）の構成を示す図である。図３は複数周波数ｆ１、ｆ２、ｆ３の信号波形を示す図である。
【００１６】
図１において、９０は送信すべき送信データであり図示しないデータ処理装置などから入力される。１はフレーミング回路で送信データ９０に対して図２に示すようなフレーミング処理を行ない、これを一次変調器２へ出力する。２は予め定めた方式（例えばＤＢＰＳＫ：Ｄｉｆｆｅｒｅｎｔｉａｌ　Ｂｉｎａｒｙ　Ｐｈａｓｅ　Ｓｈｉｆｔ　Ｋｅｙｉｎｇ　など）で変調を行なう一次変調器、３は制御回路１０の指令に基づいて特定（複数も可）のトーンの信号を抽出するトーン選択器、４は逆高速フーリエ変換回路（ＩＦＦＴ：Ｉｎｖｅｒｓｅ　Ｆａｓｔ　Ｆｏｕｒｉｅｒ　Ｔｒａｎｓｆｏｒｍ）で、抽出されたトーン信号の周波数軸データを時間軸データに変換する。
【００１７】
５はパラレル／シリアル変換回路（Ｐ／Ｓ）、６はディジタル／アナログ変換回路（Ｄ／Ａ）、８は伝送路７例えば配電線に接続するための結合回路、８は伝送路（配電線）、１０は制御回路であり、同期回路（同期手段）１０ａ、同期成否検出回路（同期成否検出手段）１０ｂ、受信状態判定回路１０ｃ、履歴保持回路（履歴保持手段）１０ｄを有している。同期回路１０ａ、同期成否検出回路１０ｂ、受信状態判定回路１０ｃ、履歴保持回路１０ｄについては後述の動作説明において詳説する。
フレーミング回路１、一次変調器２、トーン選択器３、ＩＦＦＴ４、Ｐ／Ｓ５、Ｄ／Ａ６、結合回路８、および制御回路１０で送信系１１０を構成している。
【００１８】
結合回路８は送信系１１０にも、後述する受信系１２０にも属し、例えばトランスとハイパスフィルターにより構成され、通信装置の送受信部（図示省略しているが例えばＤ／Ａ変換器６の出力側に接続された電力増幅回路など）を伝送路７である配電線に接続し、商用周波数の流入を阻止しつつ配電線搬送信号を通過させる役割を持つ。
【００１９】
１６はアナログ／ディジタル変換回路（Ａ／Ｄ変換器）、１５はシリアル／パラレル変換回路（Ｓ／Ｐ）、１４はディジタル信号を複数の搬送周波数の周波数成分に分解する高速フーリエ変換回路（ＦＦＴ：Ｆａｓｔ　Ｆｏｕｒｉｅｒ　Ｔｒａｎｓｆｏｒｍ、周波数検出手段）、１３は制御回路１０からの指示により、ある個別周波数成分（複数も可）のトーンデータを選択するトーン選択器、１２は一次復調器、１１はデフレーミング回路で、図２に示したフレーミングの信号から受信データ９１を出力する。２０は後述するキャリア検出要件にしたがってＦＦＴ１４の出力からキャリアを検出するキャリア検出器、２１はＦＦＴ１４出力の信号レベルを測定するレベル測定器、２２はＦＦＴ１４出力の位相を検出する位相検出器である。
結合回路８、キャリア検出器２０、レベル測定器２１、位相検出器２２、Ａ／Ｄ１６、Ｓ／Ｐ１５、ＦＦＴ１４、トーン選択器１３、一次復調器１２、デフレーミング回路１１、制御回路１０で受信系１２０を構成する。
【００２０】
図２に示すフレームは、
１）キャリア検出用の信号の領域であるプリアンブル（１）フィールドと、
２）シンボル同期用の信号の領域であるプリアンブル（２）フィールドと、
３）予め定められた固定コードの領域である同期コードフィールドと、
４）データフィールドの長さを示す信号の領域であるＦｒａｍｅＴｙｐｅ（ＦＴ）フィールドと、
５）住宅識別用コードの領域であるＨｏｕｓｅＣｏｄｅ（ＨＣ）フィールドと、
６）物理層で使用する制御コマンドの領域であるＰＯＣフィールドと、
７）ＦＴ，ＨＣ，ＰＯＣに対する誤り訂正符号の領域であるＲ−Ｓ符号フィールドと、
８）データフィールド
から構成されている。
なお、エラー訂正方法としてＲ−Ｓ符号を用いる例について説明したが、他の方法であってもよい。
【００２１】
このフレームは、フレーミング回路１にて生成され、前述の処理で変調後、伝送路８に出力される。なお、実施の形態１においては、例えば、プリアンブル（１）を１６シンボル区間にわたる同一データの繰り返しパターンとし、プリアンブル（２）を１６シンボル区間にわたる反転データの繰り返しパターン（シンボル単位にデータを反転させるパターン）とする。
【００２２】
また、伝送路７上のフレームは、伝送路７に接続されたすべての通信装置（図示しない）で受け取られ、制御回路１０では、ＨＣの識別を行なった上で自家のＨＣと一致した場合、伝送路上に送信されているデータが自分宛てであると判断し、ＲＳ（リードソロモン）符号を利用してエラーチェック／訂正を行ない、その内容を理解する。自家のＨＣと一致しない場合は、動作を行なわない。
【００２３】
一方、ＰＯＣは、通信の速度（例えば、低速モード、高速モード等）を設定する２ビットの通信モードフィールドと、選択可能な変調方式（例えば、ＤＱＰＳＫ，ＤＢＰＳＫ，ＤＢＰＳＫ＋時間ダイバーシチ等）を示す２ビットの変調方式フィールドと、制御コマンド（通常動作、変更動作）を示す１ビットのコマンドフィールドと、制御コマンドの機能を示す２ビットのサブコマンドと、各機能の設定情報（トーングループ、セットポジション）を示す８ビットのコマンド引数と、１ビットの拡張ビットから構成され、例えば、トーンの移動および一次変調方式の変更等の処理を行なうために使用される。
【００２４】
次に、動作について説明する。以下の説明では、送信系１１０と受信系１２０を同一の配電線搬送用の通信装置を示す図１を用いて説明する。
（送信動作）
送信データ９０がフレーミング回路１に入力されると制御回路１０からの制御で変調されるデータに変換され一次変調器２に入力される。一次変調器２は、制御回路１０からの制御によりデータを一次変調し、トーン選択器３へ出力する。トーン選択器３は、制御回路１０からの制御でトーンごとにデータを生成し、ＩＦＦＴ４に出力する。ＩＦＦＴ４は、入力されたデータを逆フーリエ変換して複数トーン分の合成されたデータとして生成する。５はシリアルパラレル変換回路であり、入力されたシリアルデータをパラレルデータに変換し、Ｄ／Ａコンバータ６に入力する。Ｄ／Ａコンバータ６は入力されたデータを変換し、結合回路７を経由して伝送路８に出力する。
【００２５】
（受信動作）
配電線搬送信号が到来すると伝送路７に接続された結合回路８の伝送路７側に商用周波数電圧に重畳された複数トーンの配電線搬送信号の信号電圧が誘起する。配電線搬送信号は商用周波数より十分に高い周波数であるため、商用周波数を阻止する結合回路８を通過する。この時、他の家電機器等の電源回路から伝送路７に漏えいしている高周波ノイズも同時に結合回路８を通過する。結合回路８を通過した高周波ノイズを含む配電線搬送信号はＡ／Ｄコンバータ１６により、入力電圧の時系列ディジタルデータに変換される。このディジタルデータを一定時間分記憶した後、ＦＦＴ１４により周波数分析を行ない（Ｓ３２）、キャリア検出器２０によりキャリアが検出され、同期回路１０ａにより同期が確立すると、トーン選択器１３で伝送に使用している周波数データのみを一次復調器１２に導き、デフレーミング回路１１によりデフレーミングする。
【００２６】
ここで、キャリア検出について詳細に説明する。
レベル測定器２１は、入力されたＦＦＴ１４出力の信号レベルＡ（電圧レベル）を測定し、信号レベルＡが予め定めておいた基準信号レベルａの何倍になるかを求め、その倍数（例えば信号レベルＡが基準信号レベルａの３倍のとき３）をキャリア検出器２０に出力する。
【００２７】
また、位相検出器２２は、入力されたＦＦＴ１４出力信号の位相の連続する回数ｎを検出し、その回数をキャリア検出器２０に出力する。例えば、プリアンブル（１）を全て「０」としておけば、「０」が連続する回数が位相の連続する回数と判断する。また、プリアンブル（１）が１６シンボル区間とすれば、連続する回数の最大値は１６となる。
【００２８】
キャリア検出器２０は、キャリア検出要件を満足する周波数の数Ｍを０に初期化とする（Ｓ３１）とともに、ＦＦＴ１４が分離した（Ｓ３２）周波数（ｆ１、ｆ２、・・・、ｆＮ）毎に、レベル検出器２１から倍数Ａ／ａと位相検出器２２から回数ｎを入力し、それらの入力値がキャリア検出要件を満足するか否かを判別（Ｓ３３、Ｓ３４）する。例えば、図６に示すように、周波数ｆ１、ｆ２、・・・、ｆＮのキャリア検出要件は、倍数Ａ／ａが１以上、１以上・・・２以上、かつ回数ｎが９、７、・・・、９以上である。図４では、Ｓ３３、Ｓ３４の２回のステップのみを記載しているが、本来は使用周波数分のＮ回のステップを実行する。
Ｓ３３、Ｓ３４によりキャリア検出要件が成立した場合、キャリア検出要件を満足する周波数の数Ｍを１づつインクリメントする（Ｓ３８、Ｓ３９）。
【００２９】
次いで、Ｓ３５において、周波数の数Ｍがキャリア検出要件に定めた値（例えば図６では２以上）を満足するか否かを判別し（Ｓ３５）、この要件を満たす場合、キャリア間隔（検知頻度ともいう）Ｃを０に初期化する（Ｓ４１）とともに、同期回路１０ａを起動する（Ｓ３６）。同期回路１０ａはプリアンブル（２）及び同期コードに基づいて同期を確立する。同期成否検出回路１０ｂは同期回路１０ａによる同期の成否を判別する（Ｓ３７）。
【００３０】
Ｓ３７により同期が成功と判別されれば履歴保持回路１０ｄの受信状態履歴を変更し（Ｓ４４）、受信処理を継続する。他方、Ｓ３５で周波数の数Ｍが要件を満たさない場合、キャリア検出間隔を検出するための図示しないカウンタの値をインクリメントする（Ｓ４２）。また、Ｓ３７で同期が成功しない場合、履歴保持回路１０ｄの受信状態履歴を変更する（Ｓ４３）。
【００３１】
ここで、受信状態履歴とは、キャリアの受信状態の履歴として、倍数Ａ／ａ、Ｓ３８、Ｓ３９による要件成立のキャリアの数Ｍ、Ｓ３６による同期の成否、前回のキャリア検出から今回のキャリアまでの間隔（相対時間）となるキャリア検出間隔Ｃを１０００点分（ｔ１、ｔ２、・・・、ｔＮ）保持したものである。
【００３２】
上述したように、要件成立した周波数の数が少なかった場合、同期処理に失敗した場合及び同期成功した場合のそれぞれのケースにおいて、受信状態履歴変更処理（Ｓ４２、Ｓ４３、Ｓ４４）が行なわれ、受信状態の履歴を変更する。
その後、受信状態判定回路１０ｃは履歴保持回路１０ｄの受信状態履歴に基づき、キャリア検出要件を整合させる（Ｓ４５）。図５を用いてＳ４５の詳細を説明する。
【００３３】
図５は使用信号周波数Ｎ＝３のケースに適用可能な実施例である。受信状態判定回路１０ｃは、Ｓ４６において読み込んだ受信状態履歴に対して、信号の検知頻度または同期成功確率が小か否かを確認する（Ｓ４７）。信号の検知頻度は間隔Ｃ（図７）に基づいて確認する、例えば間隔Ｃが１００以上のとき信号の検知頻度小と判断する。また、同期成功確立は同期の成功確率Ｐ（図７）に基づいて、例えば確率Ｐが７０％以下のとき同期成功確率小と判断する。
これらが共にあらかじめ定められた頻度、確率を満足しなかった場合、以下のようにキャリア検出要件を整合する。
【００３４】
同期成功確率Ｐが規定以下であった場合（Ｓ４８）、誤キャリア検出が発生していると判断し、キャリア検出要件として必要な周波数成分数が１であった場合（Ｓ５３）、キャリア検出要件における周波数成分数を２とする（Ｓ５４）。
【００３５】
キャリア信号の検知頻度が規定以下であった場合（Ｓ４９）、キャリア検出ができていない可能性を考慮し、キャリア検出要件として必要な周波数成分数に応じて（Ｓ５０）、振幅要件を１／２する（Ｓ５２、Ｓ５５）、周波数成分数を１とする（Ｓ５６）。ただし、直近例えば５回以内の履歴データ更新で周波数要件を２に変更していた場合には（Ｓ５１）、周波数要件を１に変更する（Ｓ５６）。
【００３６】
以上のように、受信状態の履歴により、キャリア検出要件の変更を行なうので、誤キャリア検出の発生確率、及びキャリア検出ミスの発生確率を低減させることができる。キャリア検出要件を複雑にすることなくノイズによる誤キャリア検出や、キャリア検出不能が発生する確率を低下し、通信成功率に影響を与えることがない。
また、同期回路１０ａは同期処理中および同期処理完了後、一定期間は自機器からの送信信号を停止するので、誤キャリア検出を少なくできる。
【００３７】
また、誤キャリア検出を防止するために、キャリア検出における新しい条件やシーケンスを追加するなど、キャリア検出要件を複雑化させる必要はなく、比較的簡単にキャリア検出器を構成できる。
また、キャリア検出に必要な時間も従来と変わらないため、衝突回避性能など、キャリア検出に起因する他の性能への影響も発生しにくい。
また、商用電源ラインを伝送路として用いているので、家電電機機器の制御などに使用できる。
なお、伝送路７は商用電源線であると説明したが、専用の通信線であってもよい。
【００３８】
【発明の効果】
この発明に係るディジタル通信機器は、複数の周波数が重畳されたマルチキャリアをディジタル信号に変換するＡ／Ｄコンバータ、前記Ａ／Ｄコンバータの出力信号から、前記マルチキャリアの周波数毎の成分を抽出する周波数抽出手段、前記周波数抽出手段により抽出された信号をキャリア検出要件に照らしキャリアを検出するキャリア検出手段、前記キャリア検出手段により検出されたキャリアの同期をとる同期手段、前記同期手段による同期の成否を検出する同期成否検出手段、および前記同期成否検出手段による同期の成否情報と、この成否情報に対応する前記周波数抽出手段により抽出された信号情報を履歴として保持する履歴保持手段を備え、前記キャリア検出手段は、前記履歴保持手段に保持された履歴情報に基づいて、前記周波数抽出手段により抽出された今回の信号に対するキャリア検出要件を変更するように構成されたので、キャリア検出要件を複雑にすることなくノイズによる誤キャリア検出や、キャリア検出不能が発生する確率を低下し、通信成功率に影響を与えることがない。
【００３９】
また、前記キャリア検出要件は、前記周波数抽出手段により抽出された信号の入力レベルが所定のレベルを超え、かつ位相が所定の期間連続する周波数が所定の数以上の周波数成分において成立するので、キャリア検出要件を複雑にすることがなく、かつ短時間でキャリアを検出できる。
【００４０】
また、前記同期手段は、同期処理中および同期処理完了後一定期間内は、自機器からの信号送信を抑制する送信抑制手段を備えたので、通信トラフィックの増加を抑制することができる。
【図面の簡単な説明】
【図１】この発明の実施の形態１に係るディジタル通信装置の構成図である。
【図２】フレーミング処理で生成されるフレームの構成を示す図である。
【図３】複数周波数ｆ１、ｆ２、ｆ３の信号波形を示す図である。
【図４】キャリア検出および同期を説明する図である。
【図５】キャリア検出要件の整合を説明する図である。
【図６】キャリア検出要件を説明する図である。
【図７】履歴情報を示す図である。
【図８】従来のディジタル通信装置の構成図である。
【図９】ノイズの一例を示す図である。
【図１０】ノイズの一例を示す図である。
【符号の説明】
１　フレーミング回路、　　２　一次変調回路、　　３　トーン選択器、　４　ＩＦＦＴ処理、　　５　パラレル／シリアル変換回路、　　６　Ｄ／Ａコンバータ、　　７　配電線伝送路、　　８　結合回路、　　９　ノイズ測定器、１０　制御回路、　　１０ａ　同期回路、　　１０ｂ　同期成否検出回路、１０ｃ　受信状態判定回路、　　１０ｄ　履歴保持回路、　　１１　デフレーミング回路、　　１２　一次復調回路、　　１３　トーン選択器、　　１４　ＦＦＴ処理、　　１５　シリアル／パラレル変換回路、　　１６　Ａ／Ｄ変換器、　　２０　キャリア検出器、　　２１　レベル測定器、　　２２　位相検出器、　　９０　送信信号、　　９１　受信信号、　　１１０　送信系、　　１２０受信系
【図１】
2004032397.tif 000003
【図２】
2004032397.tif 000004
【図３】
2004032397.tif 000005
【図４】
2004032397.tif 000006
【図５】
2004032397.tif 000007
【図６】
2004032397.tif 000008
【図７】
2004032397.tif 000009
【図８】
2004032397.tif 000010
【図９】
2004032397.tif 000011
【図１０】
2004032397.tif 000012